(57)【要約】【課題】電源スイッチによって電源がオンされた電源オン状態で、温度センサによって被測定部位の温度を測定する電子体温計において、電源スイッチの押しの有無にかかわらず、測定中に誤って電源がオフされてしまうのを防止すること。【解決手段】電源オン状態で、この電子体温計の温度センサを含む部分が被測定部位に接触しているか又は被測定部位から離間しているかを判断することによって、測定中であるか否かを判定する（Ｓ１）。測定中であると判定された場合、電源スイッチの押しの有無にかかわらず電源オン状態を維持する（Ｓ２）。一方、測定中でないと判定された場合、電源スイッチが押されると電源をオフする制御を行う（Ｓ３）。【選択図】図３
2017194313.tif 000002
【特許請求の範囲】
【請求項１】
電源スイッチによって電源がオンされた電源オン状態で、温度センサによって被測定部位の温度を測定する電子体温計であって、
上記電源オン状態で、この電子体温計の上記温度センサを含む部分が上記被測定部位に接触しているか又は上記被測定部位から離間しているかを判断することによって、測定中であるか否かを判定する判定部と、
上記判定部によって測定中であると判定された場合、上記電源スイッチの押しの有無にかかわらず上記電源オン状態を維持する一方、上記判定部によって測定中でないと判定された場合、上記電源スイッチが押されると電源をオフする制御を行う制御部と
を備えたことを特徴とする電子体温計。
【請求項２】
請求項１に記載の電子体温計において、
上記判定部によって測定中でないと判定された場合、上記制御部は、上記測定中でないと判定されてから上記電源スイッチの押しが無い経過時間が一定時間に達したら、電源をオフする一方、上記測定中でないと判定されてから上記電源スイッチの押しが無い経過時間が上記一定時間未満ならば、上記電源オン状態を維持する制御を行うことを特徴とする電子体温計。
【請求項３】
請求項１または２に記載の電子体温計において、
上記判定部は、上記温度センサが検知する温度の変化に基づいて、上記温度センサを含む部分が上記被測定部位に接触しているか又は離間しているかを判断することを特徴とする電子体温計。
【請求項４】
請求項１から３までのいずれか一つに記載の電子体温計において、
一方向に細長い外形をもつ本体を有し、
上記本体の長手方向に関して一方の端部に上記温度センサが配置され、
上記本体の上記長手方向に関して上記一方の端部とは反対の側に、上記一方の端部よりも幅広の幅広領域が設けられ、この幅広領域に、測定結果を表示する表示器が配置され、
上記電源スイッチは、上記幅広領域内で、上記本体の上記長手方向に関して上記表示器よりも上記一方の端部寄りの位置に配置されていることを特徴とする電子体温計。
【発明の詳細な説明】
【技術分野】
【０００１】
この発明は電子体温計に関し、より詳しくは、電源スイッチによって電源がオンされた状態で、温度センサによって被測定部位の温度を測定する電子体温計に関する。
【背景技術】
【０００２】
従来、この種の電子体温計としては、例えば特許文献１（特公平６−２９７９０号公報）に開示されているように、一方向（軸方向）に細長い外形を有し、軸方向の端部（温度センサ（サーミスタ）が設けられた端部とは反対側の端部）に電源スイッチを配置したものが知られている。この電源スイッチの配置によって、測定中に誤って電源がオフされるのを防止するようにしている。
【０００３】
特許文献２（特開２００６−１１８９２６号公報）に記載の電子体温計でも、温度センサが設けられた端部とは反対側の端部に電源スイッチが配置されている。さらに、この電子体温計では、測定中に誤って電源をオフされるのを防止するために、通電状態（電源がオンされた状態）では、電源スイッチが２秒以上押し続けられたことを条件として、電源をオフするようにしている。
【先行技術文献】
【特許文献】
【０００４】
【特許文献１】特公平６−２９７９０号公報
【特許文献２】特開２００６−１１８９２６号公報
【発明の概要】
【発明が解決しようとする課題】
【０００５】
ユーザが例えば被測定部位としての腋に電子体温計の温度センサが設けられた端部を挿入する場合、通常、手で電子体温計の側面を持ちながら挿入する。したがって、挿入の動作と電源をオンする動作とを同じ持ち方で容易に行えるという観点からは、特許文献１、２における電源スイッチの配置とは異なり、電子体温計の側面に電源スイッチが配置されているのが望ましい。
【０００６】
しかしながら、例えば特許文献２の電子体温計において、仮に電子体温計の側面へ電源スイッチの位置を変更すると、ユーザ（例えば、幼児等）が測定中に姿勢を変えたとき電源スイッチが２秒以上押し続けられ、誤って電源がオフされてしまう可能性が生ずる。
【０００７】
そこで、この発明の課題は、電源スイッチの押しの有無にかかわらず、測定中に誤って電源がオフされてしまうのを防止できる電子体温計を提供することにある。
【課題を解決するための手段】
【０００８】
上記課題を解決するため、この発明の電子体温計は、
電源スイッチによって電源がオンされた電源オン状態で、温度センサによって被測定部位の温度を測定する電子体温計であって、
上記電源オン状態で、この電子体温計の上記温度センサを含む部分が上記被測定部位に接触しているか又は上記被測定部位から離間しているかを判断することによって、測定中であるか否かを判定する判定部と、
上記判定部によって測定中であると判定された場合、上記電源スイッチの押しの有無にかかわらず上記電源オン状態を維持する一方、上記判定部によって測定中でないと判定された場合、上記電源スイッチが押されると電源をオフする制御を行う制御部と
を備えたことを特徴とする。
【０００９】
本明細書で、「測定中」とは、被測定部位の温度を測定している状態または期間を意味する。
【００１０】
この発明の電子体温計では、電源スイッチによって電源がオンされた電源オン状態で、判定部が、この電子体温計の温度センサを含む部分が被測定部位に接触しているか又は離間しているかを判断することによって、測定中であるか否かを判定する。制御部は、上記判定部によって測定中であると判定された場合、上記電源スイッチの押しの有無にかかわらず上記電源オン状態を維持する制御を行う。したがって、測定中に誤って電源がオフされてしまうのを防止できる。一方、制御部は、上記判定部によって測定中でないと判定された場合、上記電源スイッチが押されると電源をオフする制御を行う。したがって、測定中でないとき、ユーザの動作（電源スイッチの押し）によって電源オフが可能となる。これにより、無駄な電力消費が避けられる。
【００１１】
なお、電子体温計の外形は、一方向に細長い外形に限定されるものではなく、様々な形状をとり得る。
【００１２】
一実施形態の電子体温計では、上記判定部によって測定中でないと判定された場合、上記制御部は、上記測定中でないと判定されてから上記電源スイッチの押しが無い経過時間が一定時間に達したら、電源をオフする一方、上記測定中でないと判定されてから上記電源スイッチの押しが無い経過時間が上記一定時間未満ならば、上記電源オン状態を維持する制御を行うことを特徴とする。
【００１３】
この一実施形態の電子体温計では、上記判定部によって測定中でないと判定された場合、上記制御部は、上記測定中でないと判定されてから上記電源スイッチの押しが無い経過時間が一定時間に達したら、電源をオフする制御を行う。したがって、無駄な電力消費が避けられる。一方、上記制御部は、上記測定中でないと判定されてから上記電源スイッチの押しが無い経過時間が上記一定時間未満ならば、上記電源オン状態を維持する制御を行う。したがって、例えばユーザが表示器の表示内容を見るために上記温度センサを含む部分を上記被測定部位から一瞬だけ離間したとしても、上記電源オン状態が維持される。したがって、ユーザは、この電子体温計の温度センサを含む部分を上記電源オン状態が維持されている間に再び被測定部位に接触させることによって、測定を継続することが可能となる。
【００１４】
一実施形態の電子体温計では、上記判定部は、上記温度センサが検知する温度の変化に基づいて、上記温度センサを含む部分が上記被測定部位に接触しているか又は離間しているかを判断することを特徴とする。
【００１５】
この一実施形態の電子体温計では、上記判定部は、上記温度センサが検知する温度の変化に基づいて、上記温度センサを含む部分が上記被測定部位に接触しているか又は離間しているかを判断する。したがって、上記測定中であるか否かの判定のために、上記温度センサ以外の特別なハードウェアを備える必要がない。
【００１６】
一実施形態の電子体温計では、
一方向に細長い外形をもつ本体を有し、
上記本体の長手方向に関して一方の端部に上記温度センサが配置され、
上記本体の上記長手方向に関して上記一方の端部とは反対の側に、上記一方の端部よりも幅広の幅広領域が設けられ、この幅広領域に、測定結果を表示する表示器が配置され、
上記電源スイッチは、上記幅広領域内で、上記本体の上記長手方向に関して上記表示器よりも上記一方の端部寄りの位置に配置されていることを特徴とする。
【００１７】
本明細書で、「端部」とは、端だけでなく、端を含む或る範囲であってもよい。
【００１８】
この一実施形態の電子体温計では、本体の長手方向に関して一方の端部に上記温度センサが配置されている。また、上記長手方向に関して上記一方の端部とは反対の側に、上記一方の端部よりも幅広の幅広領域が設けられ、この幅広領域に、測定結果を表示する表示器が配置されている。そして、上記電源スイッチは、上記幅広領域内で、上記本体の上記長手方向に関して上記表示器よりも上記一方の端部寄りの位置に配置されている。この配置によれば、例えばユーザが手で上記本体の幅広領域を持ちながら被測定部位としての腋に上記一方の端部（温度センサが配置された端部）を挿入する際に、その手の親指が自然に上記電源スイッチ上に来る。したがって、ユーザは、挿入の動作と電源をオンする動作（親指による電源スイッチの押し）とを同じ持ち方で容易に行える。
【発明の効果】
【００１９】
以上より明らかなように、この発明の電子体温計によれば、電源スイッチの押しの有無にかかわらず、測定中に誤って電源がオフされてしまうのを防止できる。
【図面の簡単な説明】
【００２０】
【図１】この発明の一実施形態の電子体温計の外観を示す図である。
【図２】上記電子体温計の制御系のブロック構成を示す図である。
【図３】上記電子体温計における電源オフのための制御フローを示す図である。
【図４】上記電子体温計において測定中であるか否かを判定するフローを示す図である。
【図５】図５（Ａ）は、被測定部位としての腋に上記電子体温計の温度センサを含む部分が挿入された挿入状態を示す図である。図５（Ｂ）は、被測定部位としての腋から上記電子体温計の温度センサを含む部分が離間した離脱状態を示す図である。
【図６】温度センサによって検知される温度の時間変化を、挿入状態と離脱状態でそれぞれ例示する図である。
【発明を実施するための形態】
【００２１】
以下、この発明の実施の形態を、図面を参照しながら詳細に説明する。
【００２２】
（電子体温計の構成）
図１は、この発明の一実施形態の電子体温計（全体を符号１で示す。）の外観を側方から見たところを示している。
【００２３】
この電子体温計１は、一方向（これを「長手方向」と呼ぶ。）Ｘに沿って細長い、いわゆるペン形の外形をもつ本体２を有している。本体２の長手方向Ｘに関して一方の端部（図１における左端部）２ｃとは反対の側に、一方の端部２ｃよりも幅広の略矩形状の幅広領域２ａが設けられている。また、一方の端部２ｃと幅広領域２ａとの間に、一方の端部２ｃから幅広領域２ａへ向かうに連れて次第に幅広となる遷移領域２ｂが設けられている。
【００２４】
この例では、本体２の一方の端部２ｃに、温度センサ３が配置されている。これにより、ユーザが腋等の被測定部位に温度センサ３を挿入（接触）し易いようになっている。また、本体２の幅広領域２ａに、体温の測定結果を表示する表示器４が配置されている。これにより、測定結果等の表示を大きくして視認性を向上させ得るようになっている。また、幅広領域２ａ内で、本体２の長手方向Ｘに関して表示器４よりも端部２ｃ寄りの位置に、電源スイッチ５が配置されている。この配置によれば、例えばユーザが手で本体２の幅広領域２ａを持ちながら腋に温度センサ３が配置された端部２ｃを挿入する際に、その手の親指が自然に電源スイッチ５上に来る。したがって、ユーザは、挿入の動作と電源をオンする動作（親指による電源スイッチ５の押し）とを同じ持ち方で容易に行える。
【００２５】
温度センサ３は、この例ではユーザの体温をアナログ電気信号に変換する感温素子としてのサーミスタからなっている。
【００２６】
表示器４は、この例では液晶表示素子（ＬＣＤ）からなり、体温の測定結果の数値に加えて、測定中であるか否かの動作状態等を表示することができる。
【００２７】
電源スイッチ５は、この例では、押されると本体２の側面に対して沈降し、押しが解除されると本体２の側面に対して元の位置に復帰するプッシュ式スイッチからなり、電源のオン／オフを切り替えるために用いられる。
【００２８】
図２は、この電子体温計１の本体２に搭載された制御系のブロック構成を示している。この電子体温計１は、既述の温度センサ３、表示器４、電源スイッチ５に加えて、温度センサ３からのアナログ電気信号をデジタル信号に変換するＡ／Ｄコンバータ１３と、この電子体温計１全体の動作を制御するＣＰＵ１１と、報知音を発生する報音部としてのブザー１６と、電源としての電池１７とを含んでいる。ＣＰＵ１１は、温度センサ３からの体温を表す信号をＡ／Ｄコンバータ１３を介して取り込んで、体温を表す数値を求める処理、また、電源スイッチ５が押されたか否かの信号を取り込んで、電源のオン／オフを切り替える処理等の各種処理を行う。ブザー１６は、ブザー音によって測定の終了をユーザに報知する等のために用いられる。電池１７は、電源スイッチ５によって電源がオンされた電源オン状態で、この電子体温計１の各部に電力を供給する。
【００２９】
（体温測定動作）
この電子体温計１による体温測定動作自体は、例えば特許文献２（特開２００６−１１８９２６号公報）に開示されているような公知の技術により、実行される。まず、電源がオンされていない状態であれば、ユーザが電源スイッチ５を押すことにより、制御系の電源がオンされて電源オン状態になる。この電源オン状態になると、ＣＰＵ１１は初期化処理を実行し、体温測定の準備が完了した旨を表示器４に表示する。ユーザが温度センサ３を腋等の被測定部位に挿入し、温度センサ３がユーザの体温をアナログ電気信号に変換する。温度センサ３からのアナログ電気信号はＡ／Ｄコンバータ１３によってデジタル信号へと変換され、ＣＰＵ１１に入力される。ＣＰＵ１１は、Ａ／Ｄコンバータ１３を介して入力されたデジタル信号に基づいてユーザの体温を演算して求め、求められた体温の数値をリアルタイムで表示器４に表示させる。体温の測定が完了したら、ＣＰＵ１１は測定が完了した旨をブザー１６により報知するとともに、表示器４における体温の数値の表示を一定時間（例えば、１分間から１０分間までの範囲内で予め定められた時間）だけ維持する。
【００３０】
（測定中であるか否かの判定）
また、電源オン状態では、ＣＰＵ１１が判定部として働いて、図４のフローに従って、この電子体温計１の温度センサ３を含む部分（端部２ｃおよび遷移領域２ｂの一部を含む。以下同様。）が被測定部位に接触しているか又は被測定部位から離間しているかを判断することによって、測定中であるか否かを判定する。
【００３１】
ここで、図５（Ａ）は、被測定部位としての腋９９に電子体温計１の温度センサ３を含む部分が挿入（接触）された挿入状態を例示している。また、図５（Ｂ）は、被測定部位としての腋９９から電子体温計１の温度センサ３を含む部分が離間（離脱）した離脱状態を例示している。この例では、ＣＰＵ１１は、電子体温計１が被測定部位に対して、このような挿入状態にあるか又は離脱状態にあるかを示す「状態フラグ」を含んでいるものとする。この「状態フラグ」は、初期化処理後（初期状態）には「離脱状態」に設定されているものとする。
【００３２】
図４のフローに示すように、まずステップＳ１１で「状態フラグ」を参照して、「状態フラグ」が挿入状態にあるか又は離脱状態にあるかを判定する。初期状態では「状態フラグ」は離脱状態に設定されているので、ステップＳ１２へ進んで、電子体温計１の温度センサ３を含む部分が腋９９に挿入されたか否かを確認する。具体的には、図６中に例示するように、挿入状態では温度センサ３によって検知される温度が次第に上昇する。そこで、この例では１．０℃／ｓ以上の温度上昇があるとき（図４のステップＳ１２でＹＥＳ）、ステップＳ１３で「状態フラグ」を挿入状態に切り替える。１．０℃／ｓ以上の温度上昇がないとき（図４のステップＳ１２でＮＯ）は、「状態フラグ」を離脱状態に維持する。
【００３３】
一方、図４のステップＳ１１で「状態フラグ」が挿入状態にあるときは、ステップＳ１４へ進んで、電子体温計１の温度センサ３を含む部分が腋９９から離脱したか否かを確認する。具体的には、図６中に例示するように、離脱状態では温度センサ３によって検知される温度がピークから次第に下降する。そこで、この例では０．１℃／ｓ以上の温度下降があるとき（図４のステップＳ１４でＹＥＳ）、または、温度センサ３によって検知される温度がピークから２℃以上低下したとき（図４のステップＳ１５でＹＥＳ）は、ステップＳ１６で「状態フラグ」を離脱状態に切り替える。０．１℃／ｓ以上の温度下降がないとき（図４のステップＳ１４でＮＯ）、かつ、温度センサ３によって検知される温度がピークから２℃以上低下していないとき（図４のステップＳ１５でＮＯ）は、「状態フラグ」を挿入状態に維持する。
【００３４】
ＣＰＵ１１は、電源オン状態にある限り、このようにして「状態フラグ」を挿入状態又は離脱状態に切り替える処理を一定周期で（例えば１秒間または数秒間毎に）繰り返して、「状態フラグ」を更新する。ＣＰＵ１１は、「状態フラグ」が挿入状態であれば測定中であり、「状態フラグ」が離脱状態であれば測定中でない、と判定する。
【００３５】
なお、現在測定中であると判定した場合、ＣＰＵ１１は、表示器４に表示中の体温の数値を点滅させる、または、現在測定中であることを示すマークを表示させる等によって、現在測定中である旨を表示器４に表示してもよい。
【００３６】
（電源オフの制御）
この電子体温計１では、ＣＰＵ１１が制御部として働いて、図３のフローに従って、電源をオフする。
【００３７】
具体的には、ＣＰＵ１１は、まず図３のステップＳ１で「状態フラグ」を参照して、測定中であるか否か判定する。上述のように、「状態フラグ」が挿入状態であれば測定中であり、「状態フラグ」が離脱状態であれば測定中でない、と判定する。
【００３８】
測定中であれば（図３のステップＳ１でＹＥＳ）、ＣＰＵ１１は、ステップＳ２に示すように、電源スイッチ５の押しの有無にかかわらず電源オン状態を維持する制御を行う。したがって、測定中に誤って電源がオフされてしまうのを防止できる。これにより、ユーザ（例えば、幼児等）が測定中に姿勢を変えたことによって例えば電源スイッチが２秒以上押し続けられたとしても、誤って電源がオフされてしまう可能性が無くなる。
【００３９】
一方、測定中でなければ（図３のステップＳ１でＮＯ）、ＣＰＵ１１は、電源スイッチ５が押されると（図３のステップＳ３でＹＥＳ）、電源をオフする制御を行う。したがって、測定中でないとき、ユーザの動作（電源スイッチ５の押し）によって電源オフが可能となる。これにより、無駄な電力消費が避けられる。
【００４０】
さらに、測定中でないと判定された場合（図３のステップＳ１でＮＯ）、電源スイッチ５が押されないとき（図３のステップＳ３でＮＯ）であっても、ＣＰＵ１１は、測定中でないと判定されてから電源スイッチ５の押しが無い経過時間が一定時間（例えば、１分間から１０分間までの範囲内で予め定められた時間）に達したら（図３のステップＳ４でＹＥＳ）、電源をオフする制御を行う。したがって、測定終了後にユーザが電源をオフし忘れた場合などに、無駄な電力消費が避けられる。一方、ＣＰＵ１１は、測定中でないと判定されてから電源スイッチの押しが無い経過時間がその一定時間未満ならば（図３のステップＳ４でＮＯ）、電源オン状態を維持する制御を行う。したがって、例えばユーザが表示器４の表示内容を見るために電子体温計１の温度センサ３を含む部分を腋９９から一瞬だけ離間したようなときは、電源オン状態が維持される。したがって、ユーザは、電子体温計１の温度センサ３を含む部分をその電源オン状態が維持されている間に再び腋９９に挿入することによって、測定を継続することが可能となる。
【００４１】
なお、図３のステップＳ３でユーザの動作（電源スイッチ５の押し）によって電源をオフするとき、または、図３のステップＳ４で測定中でないと判定されてから電源スイッチ５の押しが無い経過時間が一定時間に達したことによって電源をオフするとき、ＣＰＵ１１は、表示器４の表示をオフするとともに、ブザー１６を駆動して報知音を発生させるようにしてもよい。このようにすれば、ユーザは電源がオフしたことを容易に認識できる。
【００４２】
なお、上述の実施形態では、ＣＰＵ１１は、温度センサ３が検知する温度の変化に基づいて、温度センサ３を含む部分が被測定部位に接触しているか又は離間しているかを判断した。これにより、測定中であるか否かの判定のために、温度センサ３以外の特別なハードウェアを備える必要がない、という利点がある。しかしながら、この発明では、測定中であるか否かの判定の根拠は、温度センサの出力に限られるものではない。例えば、本体２の遷移領域２ｂの外面に圧力センサ、インピーダンスセンサ、静電容量センサ、または光電センサを設けて、そのセンサの出力に基づいて、温度センサ３を含む部分（端部２ｃ、および、遷移領域２ｂのうちそのセンサが設けられた部分）が、被測定部位に接触しているか又は離間しているかを判断してもよい。
【００４３】
また、上述の実施形態では、電子体温計１の本体２は、一方向に細長い外形を持つものとしたが、これに限られるものではない。この発明では、電子体温計の本体は、偏平な箱形またはシート形のような、様々な形状をとり得る。
【００４４】
また、被測定部位は、腋９９に限られるものではなく、例えば口中であってもよい。
【００４５】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００４６】
１  電子体温計
２  本体
３  温度センサ
４  表示器
５  電源スイッチ
１１  ＣＰＵ
【図１】
2017194313.tif 000003
【図２】
2017194313.tif 000004
【図３】
2017194313.tif 000005
【図４】
2017194313.tif 000006
【図５】
2017194313.tif 000007
【図６】
2017194313.tif 000008